(57)【要約】【課題】タッチスクリーンを用いた情報の入力時に誤入力を防止するための方法及び装置並びにコンピュータ読み取り可能な記録媒体を提供すること。【解決手段】タッチスクリーンを用いた情報の入力時に誤入力を防止するための方法は、タッチスクリーンに対する接触の開始と終了を感知し、接触の終了が感知されるとき、接触が終了した地点に対応する入力データを取得するステップと、取得された入力データに対する文法検査を行い、文法に適合するものと判断される場合、入力データをディスプレイに表示するするステップと、を含む。【選択図】図１
2010134931.tif 000002
【特許請求の範囲】
【請求項１】
タッチスクリーンを用いた情報の入力時に誤入力を防止するための方法であって、
（ａ）タッチスクリーンに対する接触の開始と終了を感知し、接触の終了が感知されるとき、前記接触が終了した地点に対応する入力データを取得するステップと、
（ｂ）前記取得された入力データに対する文法検査を行い、文法に適合するものと判断される場合、前記入力データをディスプレイに表示するステップと、
を含むことを特徴とする方法。
【請求項２】
前記ステップ（ａ）は、
前記接触の開始から前記接触の終了まで、前記接触が行われている地点を示す識別表示を提供するステップを含むことを特徴とする請求項１に記載の方法。
【請求項３】
前記識別表示は、前記接触が行われている地点に対する拡大、色変更または音響効果のうち一つ以上の方式で提供されることを特徴とする請求項２に記載の方法。
【請求項４】
前記ステップ（ａ）は、
前記接触の終了が感知された地点に対応する電気的信号を発生させるステップと、
前記電気的信号を分析し、前記地点に対する位置データを出力するステップと、
前記位置データを分析し、前記地点に対応する入力データを取得するステップと、を含むことを特徴とする請求項１に記載の方法。
【請求項５】
前記位置データは、座標値の形式で表現されることを特徴とする請求項４に記載の方法。
【請求項６】
前記ステップ（ｂ）は、
前記入力データが日本語正書法に適合するか否かを判断するステップを含むことを特徴とする請求項１に記載の方法。
【請求項７】
タッチスクリーンを用いた情報の入力時に誤入力を防止するための装置において、
タッチスクリーンに対する接触の開始と終了を感知する接触感知部と、
前記接触感知部によって接触の終了が感知されるとき、前記接触が終了した地点に対応する入力データを取得する入力データ取得部と、
前記取得された入力データに対する文法検査を行い、前記入力データが文法に適合するものと判断される場合、前記入力データをディスプレイに表示する文法検査部と、
を備えることを特徴とする装置。
【請求項８】
前記接触感知部によって接触の終了が感知されるとき、前記接触が終了した地点に対応する電気的信号を発生する接触信号発生部と、
前記接触信号発生部によって発生した電気的信号を分析し、前記接触が終了した地点に対する位置データを出力する位置データ出力部と、をさらに備え、
前記位置データ出力部によって出力された位置データを分析し、前記接触が終了した地点に対応する入力データを取得することを特徴とする請求項７に記載の装置。
【請求項９】
前記接触感知部は、前記接触の開始から前記接触の終了まで、前記接触が行われている地点を示す識別表示を提供することを特徴とする請求項７に記載の装置。
【請求項１０】
前記識別表示は、前記接触が行われている地点に対する拡大、色変更または音響効果のうち一つ以上の方式で提供されることを特徴とする請求項９に記載の装置。
【請求項１１】
前記位置データは、座標値の形式で表現されることを特徴とする請求項７に記載の装置。
【請求項１２】
前記文法検査部は、前記入力データが日本語正書法に適合するものと判断される場合、前記入力データを臨時メモリ部に格納することを特徴とする請求項７に記載の装置。
【請求項１３】
請求項１乃至６のいずれかに一項に記載の方法を実行するためのコンピュータプログラムが記録されていることを特徴とするコンピュータで読み取り可能な記録媒体。
【発明の詳細な説明】
【技術分野】
【０００１】
本発明は、タッチスクリーンを用いた情報の入力時に誤入力を防止するための方法及び装置並びにコンピュータ読み取り可能な記録媒体に関し、より詳しくは、タッチスクリーンへの接触が始まる時ではなく、終了する時にデータの入力が行われるようにして、ユーザが正しい位置で接触を終了すれば、所望のデータが入力され、エラーがないデータ入力を可能にすると同時に、入力した文字情報に対する文法検査を行い、文法に適合するデータだけを正しい入力データとしてディスプレイに表示することによって、ユーザの誤入力を最大限防止することができるようにする方法及び装置並びにコンピュータ読み取り可能な記録媒体に関する。
【背景技術】
【０００２】
最近、移動端末機の小型化及びユーザ指向のインターフェースを実装する傾向に伴って、タッチスクリーンを利用した入力インターフェース技術が広く使用されている。一般的に、タッチスクリーンとは、液晶表示装置（ＬＣＤ：Liquid Crystal Display）のような表示装置内にユーザのタッチを感知することができるタッチパネルを含ませて、ユーザが所望の作業を行うことができるようにしたものである。このようなタッチスクリーンは、キーボードなどのような別途の入力手段がなくても、所望の作業を行うことができるようにするので、サイズの制約を相対的に大きく受ける小型端末機（例えば、移動電話機、ＭＰ３プレーヤーまたはナビゲーション装置）に広く活用されている。
【０００３】
通常、タッチスクリーンを備えた端末機は、表示部としてのモニタ、前記モニタに取りつけられるタッチパネルと、前記タッチパネルで感知された信号に基づいて端末機に備えられた各種アプリケーションプログラムを制御する制御部と、前記制御部の制御部によって各種動作を行う一つ以上のデバイスなどを備える。ここで、タッチパネルは、具体的に特殊処理された電極ガラス（ＩＴＯ  ｇｒａｓｓ）と電極フィルム（ＩＴＯ  ｆｉｌｍ）を含む複数の層で構成されており、手またはペンなどがタッチパネルの表面に接触すれば、その位置を座標値として認識する。制御部は、このように認識された座標値に対応する位置信号を受信し、それに対応する機能を処理するように一つ以上のデバイスを制御する。
【０００４】
一方、端末機の小型化の傾向に伴って、端末機に備えられる表示部のサイズも小さくなっており、これにより、タッチスクリーンに表示され得る入力インターフェースが占めることができる領域の広さも減少している。したがって、ユーザがタッチスクリーンに表示される入力インターフェースを利用して所望の情報を入力するときには、尖ったツール（例えば、スタイラスペン）を使用しなければ、誤入力が頻繁に発生することになる。例えば、タッチスクリーンに表示されるキーボードを利用して文字情報を入力するときには、入力しようとするキーの周辺キーを誤ってタッチするようになり、誤入力が発生することがある。このような誤入力が発生すれば、ユーザは、自分が入力した文字情報を削除し、さらに正しい文字情報を入力しなければならないという不都合があった。
【０００５】
したがって、タッチスクリーンを備えた端末機を用いて情報を入力するときに、ユーザの誤入力を最小化することができる技術の開発が至急に求められている。
【発明の概要】
【発明が解決しようとする課題】
【０００６】
本発明は、上述した従来技術の問題点を解決することをその目的とする。
【０００７】
また、タッチスクリーンを用いて情報を入力するときに、接触が終了する地点に対応するデータを入力することができるようにして、ユーザが自分の意思とは関係なく誤った接触をしても、接触地点を連続的に変更し、正しいデータを入力することができるようにすることを他の目的とする。
【０００８】
また、タッチスクリーンを用いて情報を入力するときに、接触が終了する地点に対応する入力データであるとしても、文法に適合する入力であるか否かを検査し、文法的に正しいデータのみ表示されるようにして、ユーザの誤入力を防止することができるようにすることをまた他の目的とする。
【課題を解決するための手段】
【０００９】
上記目的を達成するための本発明の代表的な構成は、次の通りである。
【００１０】
まず、本発明の一実施形態によれば、タッチスクリーンを用いた情報の入力時に誤入力を防止するための方法であって、タッチスクリーンに対する接触の開始と終了を感知し、接触の終了が感知されるとき、前記接触が終了した地点に対応する入力データを取得するステップと、前記取得された入力データに対する文法検査を行い、文法に適合するものと判断される場合、前記入力データをディスプレイに表示するステップと、を含む方法が提供される。
【００１１】
また、本発明の他の実施形態によれば、タッチスクリーンを用いた情報の入力時に誤入力を防止するための装置において、タッチスクリーンに対する接触の開始と終了を感知する接触感知部と、前記接触感知部によって接触の終了が感知されるとき、前記接触が終了した地点に対応する入力データを取得する入力データ取得部と、前記取得された入力データに対する文法検査を行い、文法に適合するものと判断される場合、前記入力データがディスプレイに表示されるようにする文法検査部と、を含む装置が提供される。
【００１２】
また、本発明のさらに他の実施形態によれば、タッチスクリーンを用いた情報の入力時に誤入力を防止するための他の方法、及びこのような方法を行うためのコンピュータプログラムを記録するコンピュータ読み取り可能な記録媒体が提供される。
【発明の効果】
【００１３】
本発明によれば、タッチスクリーンを用いた情報の入力時に、ユーザが自分の意思とは関係なく誤った接触をしたとしても、接触の終了時点のみに正しい地点をタッチしていれば、正しいデータの入力が可能になるので、誤入力の可能性が減少する。
【００１４】
また、本発明によれば、文法に適合する文字データの入力が発生する場合にのみ、当該データがディスプレイに表示されるので、ユーザ自身が文法に適合しない誤入力をした場合、当該データを直接削除しなければならなかった不便さを低減することができる。
【図面の簡単な説明】
【００１５】
【図１】本発明の一実施形態に係るタッチスクリーンを用いた情報の入力時に誤入力を防止するための端末機の構成を示す図である。
【図２】本発明の一実施形態に係るタッチスクリーン駆動部１１０の内部構成を詳細に示す図である。
【図３】図３（ａ）は、本発明の一実施形態に係る端末機に備えられるタッチスクリーンの駆動例を示す図であり、図３（ｂ）は、本発明の一実施形態に係る端末機に備えられるタッチスクリーンの駆動例を示す図であり、図３（ｃ）は、本発明の一実施形態に係る端末機に備えられるタッチスクリーンの駆動例を示す図である。
【発明を実施するための形態】
【００１６】
後述する本発明に関する詳細な説明は、本発明が実施される特定の実施形態を例示する添付の図面を参照する。これらの実施形態は、当業者が本発明を実施することが可能な十分に詳しい説明がなされる。本発明の多様な実施形態は、互いに異なるが、相互排他的なものではないことを理解すべきである。例えば、本発明に記載されている特定の形状、構造及び特性は、一実施形態と関連して本発明の主旨及び範囲を逸脱することなく、他の実施形態で実施してもよい。また、各々開示された実施形態内の個別構成要素の位置または配置は、本発明の主旨及び範囲を逸脱することなく、変更してもよいことを理解すべきである。したがって、後述する詳細な説明は、限定的な目的で例示されたものではなく、本発明の範囲は、その請求項が主張するものと均等なすべての範囲とともに、添付の請求範囲のみによって特徴付けられる。図面において、同様の参照番号は、様々な見方によって同一または同様の機能を参照する。
【００１７】
以下では、本発明の属する技術分野における通常の知識を有する者が本発明を容易に実施することができるようにするために、本発明の好ましい実施形態について添付の図面を参照して詳しく説明する。
【００１８】
［本発明の好ましい実施例］
本明細書において、「端末機」とは、有無線通信が可能なデジタル機器であって、パーソナルコンピュータ（例えば、デスクトップコンピュータ、ノートブックコンピュータなど）、ワークステーション、ＰＤＡ、ウェブパッド、移動電話機、ナビゲーション装置などのようにメモリ手段と、マイクロプロセッサを搭載して演算能力を有するデジタル機器を称する用語である。特に、タッチスクリーンを備えたデジタル機器を例示して説明するが、本発明は必ずしもこれに限定されるものと解釈すべきものではない。
【００１９】
端末機の構成
図１は、本発明の一実施形態に係るタッチスクリーンを用いて情報を入力するときに、誤入力を防止するための端末機の構成を示す図である。
【００２０】
図１に示すように、本発明の端末機１００は、タッチスクリーン駆動部１１０、位置データ出力部１２０、入力データ取得部１３０、文法検査部１４０、臨時メモリ部１５０、通信部１６０及び制御部１７０を備える。本発明の一実施形態によれば、タッチスクリーン駆動部１１０、位置データ出力部１２０、入力データ取得部１３０、文法検査部１４０、臨時メモリ部１５０、通信部１６０及び制御部１７０は、端末機１００内に備えられるプログラムモジュールであってもよい。このようなプログラムモジュールは、オペレーティングシステム、アプリケーションプログラムモジュール、または、その他のプログラムモジュールの形態で端末機１００に実装されてもよく、物理的には、様々な公知の記憶装置に格納される。また、このようなプログラムモジュールは、端末機１００と通信可能な遠隔記憶装置に格納されてもよい。一方、このようなプログラムモジュールは、本発明によって後述する特定の業務を行うか、または特定の抽象データ類型を実行するルーチン、サブルーチン、プログラム、オブジェクト、コンポーネント、データ構造などを包含するが、これらに限定されるものではない。
【００２１】
まず、図２を参照して、本発明の一実施形態に係るタッチスクリーン駆動部１１０について説明する。タッチスクリーン駆動部１１０は、端末機１００のタッチスクリーンを動作させ、タッチスクリーンに任意の接触が発生したとき、当該接触に対応する電気的信号を発生させる。
【００２２】
図２を参照すれば、タッチスクリーン駆動部１１０は、表示部１１１、接触感知部１１２、接触信号発生部１１３を備える。
【００２３】
表示部１１１は、端末機１００が動作中に発生する状態情報、マルチメディア情報、及び／またはキーボタンなどをディスプレイに表示する機能を提供する。この表示部１１１は、公知のディスプレイ手段、例えば、液晶表示装置（ＬＣＤ：Liquid Crystal Display）等を含む概念としてもよい。
【００２４】
一方、接触感知部１１２は、表示部１１１のキーボタンなどに所定のツール（例えば、スタイラスペンまたはユーザの指など）による接触が発生した場合、当該接触を感知する機能を提供する。本発明の一実施形態に係る接触感知部１１２は、接触が始まる瞬間と、接触が終了する瞬間を感知する。
【００２５】
接触が始まる瞬間が感知されれば、接触感知部１１２は、当該感知信号を制御部１７０に伝達し、制御部１７０は、表示部１１１を駆動して、接触が始まったタッチスクリーン上の地点を表示させる。接触が始まった地点は、当該地点の拡大または当該地点の色変化などの方式で表示することができる。例えば、表示部１１１に文字情報を入力することができるキーボードが表示される場合、ユーザが任意のツールを特定のキーに接触させれば、当該キーが大きくするか、またはキーの色を変更することができる。他の例として、表示部１１１に地理情報が表示される場合、ユーザが任意のツールを利用して特定の地点を選択すれば、当該地点が拡大するか、または当該地点の色を変更することができる。また、制御部１７０は、端末機１００に備えられる音響コーデックまたはスピーカー（図示せず）などを駆動し、当該キーの接触に対する応答を音響効果などで出力させてもよい。
【００２６】
一方、接触が終了する瞬間が感知されれば、接触感知部１１２は、当該感知信号を制御部１７０に伝達し、制御部１７０は、接触信号発生部１１３を駆動させて、当該接触による電気的信号を発生させる。すなわち、本発明の一実施形態に係る接触信号発生部１１３は、接触が始まる時でなく、接触が終了する時に、接触感知部１１２により当該接触による電気的信号を発生させられて、実質的な情報入力過程に進行することができる。
【００２７】
このように、ユーザは、タッチスクリーンを利用して情報を入力するときに、所望しない地点に接触が発生しても、接触地点を連続的に移動させて、接触の終了地点を正しく指定することによって、所望の情報の入力が可能になる。
【００２８】
次に、本発明の一実施形態に係る位置データ出力部１２０は、接触信号発生部１１３によって発生した電気的信号を分析し、接触地点に対応する位置データを出力する。前記位置データは、接触地点に対応する座標値情報として表現することができるが、これに限定されるものではないことは勿論である。
【００２９】
本発明の一実施形態に係る入力データ取得部１３０は、位置データ出力部１２０によって出力された位置データを参照して当該入力データを取得する。
【００３０】
本発明の一実施形態に係る文法検査部１４０は、入力データ取得部１３０によって取得された入力データに対する文法検査を行い、文法に適合する入力データのみを臨時メモリ部１５０に格納する。ここで言う文法とは、ハングル正書法（Korean spelling rules）を含む概念として理解すべきである。代案として、文法は、英語正書法または日本語正書法のうちいずれか一つであってもよい。一方、当業者なら、本発明で言う文法とは、ハングル、英語、日本語の文法にだけ限定されたものではなく、他の言語の文法をも含む概念であることを容易に理解することができる。本発明の一実施形態において、以前の入力データがハングルの最初の子音である場合、次の入力データとしてハングルの中間の母音が来なければならないが、ハングルの子音が次の入力データとして取得されれば、これを文法に適合しないものと判断することができる。また、以前の入力データとしてハングルの最初の子音及び中間の母音が連続して取得された状態である場合、次の入力データとして取得される子音が最後の子音として適合しない子音であるか、または次の入力データとして取得される子音が最後の子音として適合するとしても、その次の入力データとして連続して取得される子音がハングル正書法に適合しない子音である場合などには、これを文法に適合しないものと判断することもできる。また、中間の母音としての入力データが取得された後に、最後の子音として適合しない子音（例えば、サングディグッド
「
2010134931.tif 000003
」
）が入力データとして取得されたとしても、次の文字の最初の子音として適合する入力データとしてもよいので、このような場合には、その次の入力データを参照して文法検査を行ってもよい。例えば、その次に連続して取得された入力データが中間の文字として機能することができる母音である場合には、前記子音（サングディグッド
「
2010134931.tif 000004
」
）の入力は、文法に適合するデータとして判断できる。前述のような処理を行うために、文法検査部１４０は、ハングルの子音及び母音の集合よりなる単語または表現に関する情報が格納されているデータベース（図示せず）を参照してもよい。本発明の他の実施形態において、以前の入力データが英語の場合、文法検査部１４０は、英語に対する文法検査を行う。本発明のまた他の実施形態において、文法検査部１４０は、以前の入力データが日本語の場合、日本語に対する文法検査を行う。一方、前記ハングル、英語、または日本語に対する文法検査は、本発明を説明するための例示に過ぎず、他の言語に対する文法検査を行うこともできる。
【００３１】
文法検査部１４０は、このような過程を経て文法に適合する入力データのみを臨時メモリ部１５０に格納することによって、ユーザが文法に適合しない情報を入力したときに、すなわち、ユーザが入力しようとする情報とは異なる情報が入力されたときに、当該情報が最終的に出力されないようにする。これにより、ユーザは、誤記があった場合、精密なコントロールが難しいタッチスクリーン接触を通じて既に入力されたデータをユーザが個別に消去しなければならない煩雑さを低減する。
【００３２】
本発明の一実施形態に係る臨時メモリ部１５０は、端末機１００の動作中に発生するデータを一時格納し、特に、文法検査部１４０によって文法に適合するものと判断された入力データを一時的に格納する。臨時メモリ部１５０に一時的に格納された入力データは、形態素、音節、単語、表現などの形態で最終的に表示部１１１に表示されてもよい。このような臨時メモリ部１５０は、データメモリであってもよく、ＲＡＭ（Random Access Memory）などに実装されてもよい。
【００３３】
本発明の一実施形態に係る通信部１６０は、あらかじめ定められた通信規格によって外部装置と有線通信または無線通信を行う。このような通信部１６０は、ＲＦ（Radio Frequency）モジュールなどの無線通信モジュールであってもよいが、これに限定されるものではない。
【００３４】
本発明の一実施形態に係る制御部１７０は、タッチスクリーン駆動部１１０、位置データ出力部１２０、入力データ取得部１３０、文法検査部１４０、臨時メモリ部１５０及び通信部１６０の間のデータの流れを制御する。すなわち、本発明に係る制御部１７０は、タッチスクリーン駆動部１１０、位置データ出力部１２０、入力データ取得部１３０、文法検査部１４０、臨時メモリ部１５０及び通信部１６０でそれぞれ固有の機能を行うように制御する。
【００３５】
本発明の実施例
以下、本発明の一実施形態に係る端末機１００のタッチスクリーンを通じてハングルに関する情報が入力される一例を説明する。
【００３６】
図３は、本発明の一実施形態に係るタッチスクリーンを備えた端末機１００の表示部１１１に表示されるキーパッドの一例を示す図である。
【００３７】
図３に示すようなキーパッド３１０を利用してユーザがハングル文字情報を入力する。前記キーパッド３１０の上部には、ユーザが現在まで入力したデータを表示する表示窓３２０が備られてもよい。
【００３８】
ユーザが現在
「
2010134931.tif 000005
」
という子音と
「
2010134931.tif 000006
」
という母音を入力して
「
2010134931.tif 000007
」
という文字が入力された状態で、キーパッド３１０上で
「
2010134931.tif 000008
」
という子音が位置する地点で接触の終了行為を行った場合を仮定して説明する。
【００３９】
具体的に、ユーザが
「
2010134931.tif 000009
」
地点に対して接触を開始すれば、当該地点に位置するキーが選択されたことを通知する表示がディスプレイに表示される。例えば、図３（ａ）に示すように、
「
2010134931.tif 000010
」
地点に位置するキーの色が変えられる。
【００４０】
この時、ユーザの接触地点が変更され、他のキー、すなわち、
「
2010134931.tif 000011
」
という子音が位置する地点に連続的に移動されれば、図３（ｂ）に示すように、該当
「
2010134931.tif 000012
」
キーの色が変更され、ユーザのキーの選択状態が通知される。
【００４１】
しかし、もし、ユーザが
「
2010134931.tif 000013
」
という子音が誤って押されたことを確認し、さらに
「
2010134931.tif 000014
」
という子音が位置する地点に接触を連続的に移動し、図３（ａ）に示すような状態に戻って接触を終了すれば、接触が終了した地点である
「
2010134931.tif 000015
」
という子音が位置する地点に対応する電気的信号が生成され、これにより、入力データ取得部１３０は、
「
2010134931.tif 000016
」
という入力データを取得することができる。
【００４２】
この際、文法検査部１４０は文法検査を行ってもよい。すなわち、文法検査部１４０は、
「
2010134931.tif 000017
」
の以後に取得された入力データである
「
2010134931.tif 000018
」
という子音が適合するか否かを検査する。ここで、
「
2010134931.tif 000019
」
という文字の最後の子音として
「
2010134931.tif 000020
」
という子音は適しないが、次の音節の最初の子音として
「
2010134931.tif 000021
」
という子音は適合するため、その次の入力データを追加で取得してから、前記
「
2010134931.tif 000022
」
という子音が
「
2010134931.tif 000023
」
の最後の子音として使用されたか、それともその次の音節の最初の子音として使用されたかを判断することができる。仮に、前者の場合なら、前記
「
2010134931.tif 000024
」
という子音は、適合しない入力として判断し、当該入力データを臨時メモリ部１５０に格納しなくてもよい。これにより、図３（ｃ）に示すように、表示窓３２０には、
「
2010134931.tif 000025
」
という子音の入力が表示されないようにしてもよい。
【００４３】
上述したように端末機１００が動作することによって、ユーザは、タッチスクリーンへの接触が誤った場合であっても、最終的に接触を完了する地点を正しく指定することによって、ユーザが意図する情報を入力し、このようにユーザが意図して入力されたデータに対しても文法検査を通じて正しく入力されたデータのみを出力するようにする。
【００４４】
以上説明された本発明による実施形態は、多様なコンピュータの構成要素を用いて実行することができるプログラムコマンドの形態に実装でき、コンピュータ読み取り可能な記録媒体に記録することができる。前記コンピュータ読み取り可能な記録媒体は、プログラムコマンド、データファイル、データ構造などを単独で、または組み合わせた形態で格納してもよい。前記コンピュータ読み取り可能な記録媒体に記録されるプログラムコマンドは、本発明のために特別に設計されて構成されたものであってもよく、またはコンピュータソフトウェア分野における当業者に公知かつ使用可能なものであってもよい。コンピュータ読み取り可能な記録媒体の例として、ハードディスク、フロッピー（登録商標）ディスク及び磁気テープのような磁気媒体、ＣＤ‐ＲＯＭ、ＤＶＤのような光記録媒体、フロプティカルディスクのような光磁気媒体、及びＲＯＭ、ＲＡＭ、フラッシュメモリなどのようなプログラムコマンドを格納して実行するように特別に構成されたハードウェア装置が含まれる。プログラムコマンドの例として、コンパイラによって作成されるもののような機械語コードのみならず、インタプリタなどを使用してコンピュータによって実行可能な高級言語コードをも含まれる。前記ハードウェア装置は、本発明に係る処理を行うために、一つ以上のソフトウェアモジュールとして作動するように構成されたものであってもよく、その反対も同様である。
【００４５】
以上、本発明は、具体的な構成要素などのような特定の事項と限定された実施形態及び図面によって説明されたが、これは、本発明の全般的な理解を助けるために提供されたものに過ぎず、本発明が前記実施形態に限定されるものではなく、本発明の属する技術分野における通常の知識を有する者なら、このような記載から多様な修正及び変形を図ることができる。
【００４６】
したがって、本発明の思想は、上述した実施形態に限定されるものではなく、後述する特許請求範囲のみならず、この特許請求範囲と均等に、または等価的に変形されたすべてのものなどは、本発明の思想の範疇に属するものと解釈すべきである。
【符号の説明】
【００４７】
１００  端末機
１１０  タッチスクリーン駆動部
１２０  位置データ出力部
１３０  入力データ取得部
１４０  文法検査部
１５０  臨時メモリ部
１１１  表示部
１１２  接触感知部
１１３  接触信号発生部
【図１】
2010134931.tif 000026
【図２】
2010134931.tif 000027
【図３】
2010134931.tif 000028